(57)【要約】【課題】認証時のなりすましを排除する電子カメラを提供する。【解決手段】電子カメラは、撮像素子１９と、撮像素子１９による撮影画像と参照用データとを比較する比較手段２１と、比較手段２１による比較結果に基づいて特定の人物か否かを判定する判定手段２１と、判定手段２１が特定の人物であると判定した場合に所定の処理を許可する許可手段２１と、被写体距離情報を検出する検出手段１６、２１と、検出手段１６、２１で検出された被写体距離が所定距離より長い場合、比較に用いられる画像の撮影、比較手段２１による比較、判定手段２１による判定、および許可手段２１による許可のうち、少なくとも１つを禁じる制御手段２１とを備える。【選択図】図４
2008283258.tif 000002
【特許請求の範囲】
【請求項１】
撮像素子と、
前記撮像素子による撮影画像と参照用データとを比較する比較手段と、
前記比較手段による比較結果に基づいて特定の人物か否かを判定する判定手段と、
前記判定手段が前記特定の人物であると判定した場合に所定の処理を許可する許可手段と、
被写体距離情報を検出する検出手段と、
前記検出手段で検出された被写体距離が所定距離より長い場合、前記比較に用いられる画像の撮影、前記比較手段による比較、前記判定手段による判定、および前記許可手段による許可のうち、少なくとも１つを禁じる制御手段とを備えることを特徴とする電子カメラ。
【請求項２】
撮像素子と、
前記撮像素子による撮影画像と参照用データとを比較する比較手段と、
前記比較手段による比較結果に基づいて特定の人物か否かを判定する判定手段と、
前記判定手段が前記特定の人物であると判定した場合に所定の処理を許可する許可手段と、
撮影光学系の焦点距離情報を検出する検出手段と、
前記検出手段で検出された焦点距離が所定値より長い場合、前記比較に用いられる画像の撮影、前記比較手段による比較、前記判定手段による判定、および前記許可手段による許可のうち、少なくとも１つを禁じる制御手段とを備えることを特徴とする電子カメラ。
【請求項３】
撮像素子と、  
前記撮像素子による撮影画像と参照用データとを比較する比較手段と、
前記比較手段による比較結果に基づいて特定の人物か否かを判定する判定手段と、
前記判定手段が前記特定の人物であると判定した場合に所定の処理を許可する許可手段と、
前記参照用データの元となる参照用画像の撮影時の焦点距離情報または画角情報に基づいて、前記比較に用いられる画像の撮影に適した撮影光学系の焦点距離範囲を決める決定手段とを備えることを特徴とする電子カメラ。
【請求項４】
請求項３に記載の電子カメラにおいて、
前記撮影光学系の焦点距離が前記焦点距離範囲となるように、前記撮影光学系を駆動する駆動手段をさらに備えることを特徴とする電子カメラ。
【請求項５】
請求項３に記載の電子カメラにおいて、
前記撮影光学系の焦点距離が前記焦点距離範囲にあるか否かを判定する焦点距離判定手段と、
前記焦点距離範囲にないと判定するとその旨を報知する報知手段とをさらに備えることを特徴とする電子カメラ。
【請求項６】
請求項１に記載の電子カメラにおいて、
撮影光学系の焦点距離情報を検出する焦点距離検出手段をさらに備え、
前記制御手段は、前記検出手段で検出された被写体距離が所定距離より長く、かつ前記焦点距離検出手段で検出された焦点距離が所定値より長い場合、前記比較に用いられる画像の撮影、前記比較手段による比較、前記判定手段による判定、および前記許可手段による許可のうち、少なくとも１つを禁じることを特徴とする電子カメラ。
【請求項７】
請求項１に記載の電子カメラにおいて、
前記検出手段は、焦点調節光学系の位置情報に基づいて前記被写体までの距離情報を検出することを特徴とする電子カメラ。
【請求項８】
請求項１に記載の電子カメラにおいて、
前記検出手段は、距離検出素子の検出信号に基づいて前記被写体までの距離情報を検出することを特徴とする電子カメラ。
【請求項９】
請求項２に記載の電子カメラにおいて、
前記参照用データの元となる参照用画像の撮影時の焦点距離情報または画角情報に基づいて、前記比較に用いられる画像の撮影に適した撮影光学系の焦点距離範囲を決める決定手段をさらに備えることを特徴とする電子カメラ。
【請求項１０】
請求項９に記載の電子カメラにおいて、
前記撮影光学系の焦点距離が前記焦点距離範囲となるように、前記撮影光学系を駆動する駆動手段をさらに備えることを特徴とする電子カメラ。
【請求項１１】
請求項９に記載の電子カメラにおいて、
前記撮影光学系の焦点距離が前記焦点距離範囲にあるか否かを判定する判定手段と、
前記焦点距離範囲にないと判定するとその旨を報知する報知手段とをさらに備えることを特徴とする電子カメラ。
【請求項１２】
撮像素子と被写体距離情報を検出する検出手段とを含む電子カメラと、前記電子カメラと通信可能な情報処理装置とからなる情報処理システムにおいて、
前記撮像素子による撮影画像と参照用データとを比較する比較手段と、
前記比較手段による比較結果に基づいて特定の人物か否かを判定する判定手段と、
前記判定手段が前記特定の人物であると判定した場合に所定の処理を許可する許可手段と、
前記検出手段で検出された被写体距離が所定距離より長い場合、前記比較に用いられる画像の撮影、前記比較手段による比較、前記判定手段による判定、および前記許可手段による許可のうち、少なくとも１つを禁じる制御手段とを備え、
前記比較手段、前記判定手段、前記許可手段および前記制御手段の少なくとも１つを前記情報処理装置が有し、その他を前記電子カメラが有することを特徴とする情報処理システム。
【請求項１３】
撮像素子と撮影光学系の焦点距離情報を検出する検出手段とを含む電子カメラと、前記電子カメラと通信可能な情報処理装置とからなる情報処理システムにおいて、
前記撮像素子による撮影画像と参照用データとを比較する比較手段と、
前記比較手段による比較結果に基づいて特定の人物か否かを判定する判定手段と、
前記判定手段が前記特定の人物であると判定した場合に所定の処理を許可する許可手段と、
前記検出手段で検出された焦点距離が所定値より長い場合、前記比較に用いられる画像の撮影、前記比較手段による比較、前記判定手段による判定、および前記許可手段による許可のうち、少なくとも１つを禁じる制御手段とを備え、
前記比較手段、前記判定手段、前記許可手段および前記制御手段の少なくとも１つを前記情報処理装置が有し、その他を前記電子カメラが有することを特徴とする情報処理システム。
【発明の詳細な説明】
【技術分野】
【０００１】
本発明は、電子カメラ、電子カメラを含む情報処理システムに関する。
【背景技術】
【０００２】
顔画像を用いて本人認証を行う技術が知られている（特許文献１参照）。いわゆるなりすましを防止するため、撮影画像の顔の大きさが妥当か否かが判断される。
【０００３】
【特許文献１】特開２００５−１３５２７１号公報
【発明の開示】
【発明が解決しようとする課題】
【０００４】
従来技術では、遠方からの盗撮によるなりすましの排除が困難という問題があった。
【課題を解決するための手段】
【０００５】
（１）請求項１の発明による電子カメラは、撮像素子と、撮像素子による撮影画像と参照用データとを比較する比較手段と、比較手段による比較結果に基づいて特定の人物か否かを判定する判定手段と、判定手段が特定の人物であると判定した場合に所定の処理を許可する許可手段と、被写体距離情報を検出する検出手段と、検出手段で検出された被写体距離が所定距離より長い場合、比較に用いられる画像の撮影、比較手段による比較、判定手段による判定、および許可手段による許可のうち、少なくとも１つを禁じる制御手段とを備えることを特徴とする。
（２）請求項２の発明による電子カメラは、撮像素子と、撮像素子による撮影画像と参照用データとを比較する比較手段と、比較手段による比較結果に基づいて特定の人物か否かを判定する判定手段と、判定手段が特定の人物であると判定した場合に所定の処理を許可する許可手段と、撮影光学系の焦点距離情報を検出する検出手段と、検出手段で検出された焦点距離が所定値より長い場合、比較に用いられる画像の撮影、比較手段による比較、判定手段による判定、および許可手段による許可のうち、少なくとも１つを禁じる制御手段とを備えることを特徴とする。
（３）請求項３の発明による電子カメラは、撮像素子と、撮像素子による撮影画像と参照用データとを比較する比較手段と、比較手段による比較結果に基づいて特定の人物か否かを判定する判定手段と、判定手段が特定の人物であると判定した場合に所定の処理を許可する許可手段と、参照用データの元となる参照用画像の撮影時の焦点距離情報または画角情報に基づいて、比較に用いられる画像の撮影に適した撮影光学系の焦点距離範囲を決める決定手段とを備えることを特徴とする。
（４）請求項３に記載の電子カメラはさらに、撮影光学系の焦点距離が焦点距離範囲となるように、撮影光学系を駆動する駆動手段を備えてもよい。
（５）請求項３に記載の電子カメラはさらに、撮影光学系の焦点距離が焦点距離範囲にあるか否かを判定する焦点距離判定手段と、焦点距離範囲にないと判定するとその旨を報知する報知手段とを備えてもよい。
（６）請求項１に記載の電子カメラはさらに、撮影光学系の焦点距離情報を検出する焦点距離検出手段を備えてもよい。この場合の制御手段は、検出手段で検出された被写体距離が所定距離より長く、かつ焦点距離検出手段で検出された焦点距離が所定値より長い場合、比較に用いられる画像の撮影、比較手段による比較、判定手段による判定、および許可手段による許可のうち、少なくとも１つを禁じることもできる。
（７）請求項１に記載の電子カメラにおいて、検出手段は、焦点調節光学系の位置情報に基づいて被写体までの距離情報を検出してもよい。
（８）請求項１に記載の電子カメラにおいて、検出手段は、距離検出素子の検出信号に基づいて被写体までの距離情報を検出してもよい。
（９）請求項２に記載の電子カメラはさらに、参照用データの元となる参照用画像の撮影時の焦点距離情報または画角情報に基づいて、比較に用いられる画像の撮影に適した撮影光学系の焦点距離範囲を決める決定手段を備えてもよい。
（１０）請求項９に記載の電子カメラはさらに、撮影光学系の焦点距離が焦点距離範囲となるように、撮影光学系を駆動する駆動手段を備えてもよい。
（１１）請求項９に記載の電子カメラはさらに、撮影光学系の焦点距離が焦点距離範囲にあるか否かを判定する判定手段と、焦点距離範囲にないと判定するとその旨を報知する報知手段とを備えてもよい。
（１２）請求項１２の発明は、撮像素子と被写体距離情報を検出する検出手段とを含む電子カメラと、電子カメラと通信可能な情報処理装置とからなる情報処理システムに適用される。そして、撮像素子による撮影画像と参照用データとを比較する比較手段と、比較手段による比較結果に基づいて特定の人物か否かを判定する判定手段と、判定手段が特定の人物であると判定した場合に所定の処理を許可する許可手段と、検出手段で検出された被写体距離が所定距離より長い場合、比較に用いられる画像の撮影、比較手段による比較、判定手段による判定、および許可手段による許可のうち、少なくとも１つを禁じる制御手段とを備え、比較手段、判定手段、許可手段および制御手段の少なくとも１つを情報処理装置が有し、その他を電子カメラが有することを特徴とする。
（１３）請求項１３の発明は、撮像素子と撮影光学系の焦点距離情報を検出する検出手段とを含む電子カメラと、電子カメラと通信可能な情報処理装置とからなる情報処理システムに適用される。そして、撮像素子による撮影画像と参照用データとを比較する比較手段と、比較手段による比較結果に基づいて特定の人物か否かを判定する判定手段と、判定手段が特定の人物であると判定した場合に所定の処理を許可する許可手段と、検出手段で検出された焦点距離が所定値より長い場合、比較に用いられる画像の撮影、比較手段による比較、判定手段による判定、および許可手段による許可のうち、少なくとも１つを禁じる制御手段とを備え、比較手段、判定手段、許可手段および制御手段の少なくとも１つを情報処理装置が有し、その他を電子カメラが有することを特徴とする。
【発明の効果】
【０００６】
本発明によれば、認証時のなりすましを排除する電子カメラ、情報処理システムを提供できる。
【発明を実施するための最良の形態】
【０００７】
以下、図面を参照して本発明を実施するための最良の形態について説明する。
（第一の実施形態）
図１は、本発明の第一の実施形態による電子カメラの正面図である。図１において、電子カメラ１の前面には、撮影レンズの鏡筒３６と、フラッシュ発光部３５と、ＡＦ（オートフォーカス）補助光源２６と、外部ＡＦモジュール２７とが配設されている。電子カメラ１の上面には、シャッターボタン３２１と、電源ボタン３２２とが配設されている。シャッターボタン３２１は、電子カメラ１に撮影を指示するための操作部材である。電源ボタン３２２は、電子カメラ１に電源オンまたは電源オフを指示するための操作部材である。
【０００８】
図２は、図１の電子カメラの背面図である。図２において、電子カメラ１の背面には、表示モニタ３１と、ズームボタン（ワイド側）３２３と、ズームボタン（テレ側）３２４と、十字キー３２５と、ＯＫボタン３２６と、再生モードボタン３２７と、撮影モードボタン３２８とが配設されている。ズームボタン３２３は、電子カメラ１にズームダウンを指示するための操作部材である。ズームボタン３２４は、電子カメラ１にズームアップを指示するための操作部材である。十字キー３２５およびＯＫボタン３２６は、電子カメラ１に各種設定を指示するための操作部材である。再生モードボタン３２７は、電子カメラに撮影画像の再生表示を行う動作モードを指示するための操作部材である。撮影モードボタン３２８は、電子カメラ１に撮影を行う動作モードを指示するための操作部材である。
【０００９】
図３は、図１におけるＡ−Ａ'断面図である。電子カメラ１の撮影レンズは、１群レンズＬ１と、２群レンズＬ２と、３群レンズ（フォーカスレンズ１２）とで構成される。撮影レンズは沈胴式のズームレンズであり、電源オフ時は図３に例示するように筐体内に沈胴されている。
【００１０】
電子カメラ１は、電源ボタン３２２の押下操作による電源オン操作信号を受けると、カメラ内各部へ通電を開始させる。これにより、１群レンズＬ１および２群レンズＬ２が鏡筒駆動機構によって左方向へ繰り出される。鏡筒駆動機構は、ズームモータ２４（図４において後述）、カム筒１１８およびギア部１１９等によって構成される。また、フォーカスレンズ１２はＡＦ駆動機構によって光軸Ａｘ方向に進退駆動される。ＡＦ駆動機構は、ＡＦモータ２３、ＡＦ駆動ギア列１０４、リードねじ１１６およびナット１０５等によって構成される。
【００１１】
フォーカスレンズ１２はフォーカスレンズホルダ１０７によって支持される。フォーカスレンズホルダ１０７は不図示の付勢部材によって右方向へ付勢され、ナット１０５に当接する。ナット１０５は、フォーカスレンズホルダ１０７に設けられている回転止め（不図示）によって回転が制限されている。以上の構成により、リードねじ１１６の回転がナット１０５の光軸Ａｘ方向の移動に変換され、ナット１０５に当接しているフォーカスレンズホルダ１０７が光軸Ａｘ方向に駆動される。
【００１２】
フォーカスレンズ１２の位置は、フォーカスレンズ基準位置センサ１６による検出信号と、後述するモータ駆動回路２５（図４）からＡＦモータ２３へ出力されるパルス数とを用いて制御される。一方、１群レンズＬ１および２群レンズＬ２の位置は、後述するズーム位置検出センサ１５（図４）による検出信号と、ズームモータ２４（図４）の回転角を検出するセンサ（不図示）による検出信号とを用いて制御される。ズーム位置検出センサ１５は、カム筒１１８の光軸方向の位置を検出する。
【００１３】
１群レンズＬ１、２群レンズＬ２およびフォーカスレンズ１２がそれぞれ所定位置へ移動すると、電子カメラ１は、撮影準備状態となってシャッターボタン３２１の押下操作信号の受け付けを許可する。電子カメラ１は、ズームボタン３２３の押下操作信号を受けると、鏡筒駆動機構およびＡＦ駆動機構を駆動してズームダウン動作を行う。また、電子カメラ１は、ズームボタン３２４の押下操作信号を受けると、鏡筒駆動機構およびＡＦ駆動機構を駆動してズームアップ動作を行う。
【００１４】
シャッター羽根１３および絞り１４は、２群レンズＬ２の像面側に配設される。また、シャッターユニット１１３、シャッター羽根１３および絞り１４は、２群レンズＬ２と一体に光軸方向へ移動するように構成されている。
【００１５】
図４は、電子カメラ１の要部構成を説明するブロック図である。ズームレンズ１１は、上述した１群レンズＬ１および２群レンズＬ２に対応する。ズーム位置検出センサ１５は、ズームレンズ１１の位置を示す情報を検出し、検出信号をＣＰＵ２１へ送信する。フォーカスレンズ基準位置センサ１６は、フォーカスレンズ１２の基準位置を示す情報を検出し、検出信号をＣＰＵ２１へ送信する。
【００１６】
シャッター駆動部１７は、ＣＰＵ２１からの指示に応じてシャッター羽根１３の開閉制御を行う。絞り駆動部１８は、ＣＰＵ２１からの指示に応じて絞り１４の開口サイズを変化させる。絞り１４は、光束を多段階に（たとえば、アペックス値で１．５段の範囲）減衰させる減光部材である。よって、絞り１４により撮像デバイス１９へ入射される光量が制限される。
【００１７】
ズームレンズ１１およびフォーカスレンズ１２を通過した光束は、撮像デバイス１９の撮像面上に被写体像を結ぶ。撮像デバイス１９は、ＣＣＤイメージセンサなどによって構成される。画像処理回路２０は、撮像デバイス１９から出力された画像信号に対し、所定の信号処理を行う。信号処理には、信号増幅やＡ／Ｄ変換などのアナログ処理と、輪郭強調や色温度調整（ホワイトバランス調整）などのディジタル処理とが含まれる。
【００１８】
画像処理回路２０はさらに、ＣＰＵ２１からの感度変更指示に応じて撮像感度（露光感度）を所定範囲（たとえばＩＳＯ５０相当〜ＩＳＯ１０００相当）内で変更する。撮像感度は、撮像デバイス１９に蓄積された電荷の検出感度、もしくは不図示の増幅回路の増幅率を変化させる被制御量のことをいう。撮像感度値は、相当するＩＳＯ感度値で表される。
【００１９】
ＣＰＵ２１は、各ブロックから出力される信号を入力して所定の演算を行い、演算結果に基づく制御信号を各ブロックへ出力する。ＣＰＵ２１内には、メモリ２２が設けられている。ＡＦ補助光源２６は、外部ＡＦモジュール２７が測距する際に、ＣＰＵ２１からの指示に応じて点灯する。外部ＡＦモジュール２７は、被写体までの距離を検出し、検出情報をＣＰＵ２１へ送信する。
【００２０】
外部ＡＦモジュール２７は、撮影レンズを通過した光束と異なる光束を利用する方式（いわゆる外光式）で、赤外光などを発することなくフォーカス調節情報を取得するパッシブＡＦ方式の構成を有する。ＣＰＵ２１は、外部ＡＦモジュール２７が暗すぎて測距不能になることを避けるため、必要に応じてＡＦ補助光源２６を点灯させる。なお、焦点検出用の赤外光などを発して測距を行うアクティブＡＦ方式で外部ＡＦモジュール２７を構成しても構わない。
【００２１】
内蔵フラッシュメモリ２８は、ＣＰＵ２１によって書き込みおよび読み出し可能な不揮発性メモリである。電源回路２９は、ＣＰＵ２１をはじめとするカメラ内の各部へ電力を供給する。表示回路３０は、撮影画像を表示モニタ３１に表示させるための表示データを作成する。表示モニタ３１は、たとえば、液晶表示パネルによって構成される。液晶表示パネルは、表示回路３０から入力される表示データによる再生画像を表示する。表示回路３０は画像表示用データの他、メッセージやメニューなどを表示するためのデータの作成も行う。これにより、表示モニタ３１に画像以外の情報も表示される。
【００２２】
操作部材３２は、シャッターボタン３２１などの電子カメラ１の操作ボタン類に対応し、各ボタンの押下操作に対応する操作信号をＣＰＵ２１へ出力する。記録カード５０は、電子カメラ１に対して着脱可能なメモリカードなどで構成される。記録カード５０には、ＣＰＵ２１の指示によって撮影画像のデータおよびその撮影情報を含む画像ファイルが記録される。記録カード５０に記録された画像ファイルは、ＣＰＵ２１からの指示によって読み出しが可能である。
【００２３】
ＣＰＵ２１は、外部ＡＦモジュール２７から受けた検出情報に基づいて合焦に必要なフォーカスレンズ１２の駆動量を演算する。ＣＰＵ２１はさらに、演算した駆動量を示す情報をモータ駆動回路２５へ送る。モータ駆動回路２５は、ＣＰＵ２１からの指示に応じて、指示された駆動量の駆動に必要な所定数のパルス信号をＡＦモータ２３へ送信する。
【００２４】
また、ＣＰＵ２１は、ズームボタン３２３およびズームボタン３２４からの操作信号に応じて、モータ駆動回路２５へ駆動指示を送る。モータ駆動回路２５は、ＣＰＵ２１からの指示に応じてズームモータ２４へ所定の駆動信号を送信する。
【００２５】
フラッシュ回路３３は、コンデンサ３４を高電圧で充電する。また、フラッシュ回路３３は、ＣＰＵ２１からの指示に応じてコンデンサ３４を放電させ、放電電力をフラッシュ発光部３５へ供給する。フラッシュ発光部３５は、たとえばキセノン管などで構成されており、コンデンサ３４からの放電電力によって放電発光する。
【００２６】
電子カメラ１は登録ユーザか否かを識別する機能を備える。電子カメラ１は、ユーザ認識後に撮影した画像のファイルに閲覧制限をかける（閲覧ロック）。閲覧制限された画像ファイルは、電子カメラ１が当該画像の撮影時と同じユーザを認識した場合にのみ、表示モニタ３１に再生表示することが許可される。電子カメラ１が当該画像の撮影時と異なるユーザを認識した場合、および電子カメラ１がユーザ認識していない場合は、いずれも閲覧制限された画像ファイルの再生画像を表示モニタ３１に表示することが禁止される。
【００２７】
一方、電子カメラ１は、登録ユーザを識別しないで撮影した画像のファイルには閲覧制限をかけない。閲覧制限されていない画像ファイルは、電子カメラ１がユーザを認識したか否かにかかわらず、表示モニタ３１に再生表示することが許可される。なお、閲覧制限された画像ファイルの再生画像は、電子カメラ１がユーザ認識していない場合にも表示モニタ３１に表示することが禁止されることはいうまでもない。
【００２８】
本実施形態は、上記電子カメラ１が登録ユーザか否かの識別に用いる画像の撮影動作に特徴を有するので、上記識別に用いる画像の撮影を中心に説明する。登録ユーザか否かの識別に用いる画像には、あらかじめ電子カメラ１に登録しておく参照用データの元となる参照用画像と、参照用データと比較するために後から撮影される比較用画像とが含まれる。
【００２９】
＜識別処理＞
電子カメラ１のＣＰＵ２１がユーザ識別のために行う処理の流れについて、図５に例示するフローチャートを参照して説明する。図５の処理を行うプログラムは、内蔵フラッシュメモリ２８内に格納されている。ＣＰＵ２１は、電源オン処理後に当該プログラムを起動する。
【００３０】
図５のステップＳ１１において、ＣＰＵ２１はユーザの識別を行うか否かを判定する。ＣＰＵ２１は、十字キー３２５およびＯＫボタン３２６からの操作信号によって「ユーザ識別する」が指示されると、ステップＳ１１を肯定判定してステップＳ１２へ進む。ＣＰＵ２１は、十字キー３２５およびＯＫボタン３２６からの操作信号によって「ユーザ識別しない」が指示されると、ステップＳ１１を否定判定して図５の処理を終了する。
【００３１】
「ユーザ識別しない」場合のＣＰＵ２１は、以降に撮影する画像のファイルには閲覧制限をかけない。また、閲覧制限された画像ファイルについて、表示モニタ３１に再生表示することを禁止する。閲覧制限されていない画像ファイルについての再生表示を許可する点は従来どおりである。
【００３２】
ステップＳ１２において、ＣＰＵ２１は新規登録か否かを判定する。ＣＰＵ２１は、十字キー３２５およびＯＫボタン３２６からの操作信号によって「新規登録しない」が指示されると、ステップＳ１２を否定判定してステップＳ１３へ進む。ＣＰＵ２１は、十字キー３２５およびＯＫボタン３２６からの操作信号によって「新規登録する」が指示されると、ステップＳ１２を肯定判定してステップＳ２０へ進む。
【００３３】
ステップＳ１３において、ＣＰＵ２１は登録名選択を行う。ＣＰＵ２１は表示回路３０へ指示を送り、図６に例示する登録名選択画面を表示モニタ３１に表示させる。ＣＰＵ２１は、十字キー３２５およびＯＫボタン３２６からの操作信号に応じて登録名（本例では登録者１）を選択すると、ステップＳ１４へ進む。
【００３４】
ステップＳ１４において、ＣＰＵ２１は識別データ撮影処理を行ってステップＳ１５へ進む。ステップＳ１４で撮影される画像は、既に保存されている登録者１の参照用データと比較するための比較用画像である。識別データ撮影処理については後述する。ステップＳ１５において、ＣＰＵ２１は、登録データ（本例の場合は登録者１の参照用データ）とステップＳ１４で撮影した比較用画像との比較処理を行ってステップＳ１６へ進む。
【００３５】
比較処理は、たとえば、特開平９−２５１５３４号公報に開示されている技術を用いる。上記公報に開示される技術は、撮影画像から人物の顔領域を抽出し、抽出した顔領域から特徴点データ（目、鼻の位置など）を取得し、この特徴点データを用いてあらかじめ登録されている人物を識別するものである。
【００３６】
ステップＳ１６において、ＣＰＵ２１は認証ＯＫか否かを判定する。ＣＰＵ２１は、比較処理結果が所定の判定基準を満たした場合にステップＳ１６を肯定判定してステップＳ１７へ進む。ＣＰＵ２１は、比較処理結果が所定の判定基準を満たさない場合にはステップＳ１６を否定判定し、ステップＳ１８へ進む。
【００３７】
ステップＳ１７において、ＣＰＵ２１は、撮影済みデータについて閲覧ロックを解除して図５による処理を終了する。具体的には、撮影済みで閲覧制限されている画像ファイルのうち、その撮影者が識別ユーザ（本例では登録者１）である画像ファイルについて、表示モニタ３１に再生表示することを許可する。また、ユーザを識別した以降に撮影する画像のファイルについて閲覧制限をかける（閲覧ロック）。なお、ＣＰＵ２１は、閲覧制限がかけられていない画像ファイルについての再生表示は許可する。
【００３８】
図７は、ＣＰＵ２１が内蔵フラッシュメモリ２８内に生成する管理テーブルを例示する図である。ＣＰＵ２１は、登録者１についてユーザを識別後に撮影した画像ファイルについて、登録者１を示す制限情報「１」を管理テーブルに記録する。ステップＳ１１を否定判定した「ユーザ識別しない」場合のＣＰＵ２１は、撮影した画像ファイルについての制限情報をブランク「−」として管理テーブルに記録する。
【００３９】
ＣＰＵ２１は、登録者１について閲覧ロックを解除（ステップＳ１７）後に再生モードへ切替操作された場合、ファイル名0001.jpg、0002.jpg、0003.jpg、0004.jpgの画像ファイルのみについて、再生画像を表示モニタ３１に表示することを許可する。
【００４０】
同様に、ＣＰＵ２１は、登録者２について閲覧ロックを解除（ステップＳ１７）後に再生モードへ切替操作された場合、ファイル名0003.jpg、0004.jpg、0005.jpgの画像ファイルのみについて、再生画像を表示モニタ３１に表示することを許可する。
【００４１】
また、ＣＰＵ２１は、登録者３について閲覧ロックを解除（ステップＳ１７）後に再生モードへ切替操作された場合、ファイル名0003.jpg、0004.jpgの画像ファイルのみについて、再生画像を表示モニタ３１に表示することを許可する。
【００４２】
なお、ステップＳ１１を否定判定した「ユーザ識別しない」場合のＣＰＵ２１は、再生モードへ切替操作された場合、制限情報がブランク「−」であるファイル名0003.jpg、0004.jpgの画像ファイルのみについて、再生画像を表示モニタ３１に表示することを許可する。
【００４３】
ステップＳ１６を否定判定して進むステップＳ１８において、ＣＰＵ２１は表示回路３０へ指示を送り、「認証エラー」を示すメッセージを表示モニタ３１に表示させてステップＳ１９へ進む。
【００４４】
ステップＳ１９において、ＣＰＵ２１は再びユーザの識別を行うか否かを判定する。ＣＰＵ２１は、十字キー３２５およびＯＫボタン３２６からの操作信号によって「再識別する」が指示されると、ステップＳ１９を肯定判定してステップＳ１４へ戻る。ＣＰＵ２１は、十字キー３２５およびＯＫボタン３２６からの操作信号によって「再識別しない」が指示されると、ステップＳ１９を否定判定して図５の処理を終了する。
【００４５】
「再識別しない」場合のＣＰＵ２１は、「ユーザ識別しない」場合と同様に、以降に撮影する画像のファイルには閲覧制限をかけない。また、撮影済みで閲覧制限されている画像ファイルについて、表示モニタ３１に再生表示することを禁止する。
【００４６】
上述したステップＳ１２を肯定判定して進むステップＳ２０において、ＣＰＵ２１は識別データ撮影処理を行ってステップＳ２１へ進む。ステップＳ２０で撮影される画像は、参照用データの元となる参照用画像である。識別データ撮影処理については後述する。
【００４７】
ステップＳ２１において、ＣＰＵ２１は、ステップＳ２０で撮影した画像のデータを参照用データとして内蔵フラッシュメモリ２８内へ記録し（新規登録）、図５による処理を終了する。
【００４８】
＜識別データ撮影＞
参照用画像を撮影する識別データ撮影処理（ステップＳ２０（図５））について、図８に例示するフローチャートを参照して説明する。ＣＰＵ２１は、図８のステップＳ５１において、ズームレンズ１１の位置（ズームポジション）がＯＫか否かを判定する。ＣＰＵ２１は、ズーム位置検出センサ１５による検出値が、たとえば焦点距離２８mm〜５０mm(３５mm版システムに換算)に対応する場合にステップＳ５１を肯定判定してステップＳ５２へ進む。ＣＰＵ２１は、ズーム位置検出センサ１５による検出値が上記焦点距離範囲に対応しない場合にはステップＳ５１を否定判定し、ステップＳ６３へ進む。
【００４９】
図９は、本実施形態において許容する焦点距離範囲を例示する図である。ＣＰＵ２１は、焦点距離が図中の参照用画像撮影時の帯に含まれる場合に、ステップＳ５１を肯定判定する。上述したように、参照用画像を撮影する場合の焦点距離は、５０mmを望遠側の上限とする。また、撮影画角が広すぎると撮影される顔領域が小さすぎるおそれが生じるので、広角側の下限を２８mmに制限する。なお、焦点距離はいずれも３５mm版システムに換算して例示したものである。
【００５０】
ステップＳ６３において、ＣＰＵ２１はモータ駆動回路２５へ駆動指示を送り、ズームレンズ１１を移動させて撮影画角を変更する。ＣＰＵ２１は、ズーム位置検出センサ１５による検出値が上述した焦点距離範囲より広角側に対応する場合、ズームレンズ１１を望遠側の所定位置（たとえば、焦点距離３７mm（３５mm版システムに換算））へ移動させる。ＣＰＵ２１は、ズーム位置検出センサ１５による検出値が上記焦点距離範囲より望遠側に対応する場合には、ズームレンズ１１を広角側の所定位置（たとえば、焦点距離３７mm（３５mm版システムに換算））へ移動させる。これにより、ズームレンズ１１の位置が上記焦点距離範囲内に対応する位置へ移動する。
【００５１】
ステップＳ５２において、ＣＰＵ２１はＳ１オンか否かを判定する。「Ｓ１」は、シャッターボタン３２１の押下操作に連動してオン／オフする半押しスイッチ（不図示）である。ＣＰＵ２１は、シャッターボタン３２１が半押し操作されたことを示すＳ１オン信号が入力されると、ステップＳ５２を肯定判定してステップＳ５３へ進む。ＣＰＵ２１は、Ｓ１オン信号が入力されない場合にはステップＳ５２を否定判定し、当該判定処理を繰り返す。
【００５２】
識別データ撮影の際、ユーザは電子カメラ１の正面をユーザ自身に向けて、ユーザの顔を含む撮影を行うように電子カメラ１をホールドする。ステップＳ５４において、ＣＰＵ２１は顔認識処理を行う。具体的には、撮像デバイス１９に測光用の撮像を行わせ、撮像デバイス１９から出力される撮像信号を用いて顔領域を抽出する（顔認識）。
【００５３】
ＣＰＵ２１はさらに、ＡＦ処理および測光処理を行ってステップＳ５５へ進む。ＡＦ処理では、外部ＡＦモジュール２７からの検出情報に基づいて演算したフォーカスレンズ１２の駆動量情報をモータ駆動回路２５へ送る。測光処理では、上記測光用の撮像で取得した撮像信号を用いて明るさ情報を取得する。ＣＰＵ２１は、図１０に例示するように、撮像画面を複数に分割した９（横方向）×８（縦方向）＝７２領域ごとに測光値を得る。
【００５４】
ステップＳ５５において、ＣＰＵ２１は合焦ＯＫか否かを判定する。ＣＰＵ２１は、外部ＡＦモジュール２７からの検出情報に基づいて演算したフォーカスレンズ１２の駆動量（すなわち、合焦に必要な駆動量）が所定値未満であればステップＳ５５を肯定判定し、ステップＳ５６へ進む。ステップＳ５６へ進む場合はピントが合った場合である。
【００５５】
一方、ＣＰＵ２１は、合焦に必要な駆動量が所定値以上の場合にはステップＳ５５を否定判定し、ステップＳ６５へ進む。ステップＳ６５へ進む場合はピントが合っていない場合である。ステップＳ６５において、ＣＰＵ２１は表示回路３０に指示を送り、非合焦を示すマークを表示モニタ３１に表示させてステップＳ５２へ戻る。この場合は、ステップＳ５２以降の処理をさらに繰り返す。
【００５６】
ステップＳ５６において、ＣＰＵ２１は合焦時のフォーカスレンズ１２の位置が所定範囲内か否かを判定する。ＣＰＵ２１は、自分の撮影に適した距離に被写体（本例ではユーザの顔）が存在する場合に、ステップＳ５６を肯定判定してステップＳ５７へ進む。具体的には、ズームレンズ１１の位置（上記焦点距離範囲）に対応させて２０cm〜１mの範囲を適切な被写体距離（電子カメラ１からユーザの顔までの距離）とする。そして、合焦後の被写体距離が、上記２０cm〜１mの距離範囲内であればステップＳ５６を肯定判定する。
【００５７】
ＣＰＵ２１は、合焦後の被写体距離（電子カメラ１からユーザの顔までの距離）が、上記適切な被写体距離範囲外であればステップＳ５６を否定判定し、ステップＳ６４へ進む。ステップＳ６４へ進む場合は、被写体距離が近すぎて不適切な場合、または、被写体距離が遠すぎて遠方からの盗撮のおそれがある場合である。ステップＳ６４において、ＣＰＵ２１は表示回路３０に指示を送り、範囲外を示す警告マークを表示モニタ３１に表示させてステップＳ５２へ戻る。この場合は、ステップＳ５２以降の処理をさらに繰り返す。
【００５８】
図１１は、本実施形態において許容する被写体距離範囲を例示する図である。ＣＰＵ２１は、被写体距離が図中の帯に含まれる場合に、ステップＳ５６を肯定判定する。
【００５９】
図８のステップＳ５７において、ＣＰＵ２１は表示回路３０に指示を送り、合焦を示すマークを表示モニタ３１に表示させる。ＣＰＵ２１はさらに、ＡＦ補助光源２６を点滅発光させる。この点滅発光は、ユーザに対して撮影準備が整ったことを報知するものである。
【００６０】
ステップＳ５８において、ＣＰＵ２１はＳ１オンか否かを判定する。ＣＰＵ２１は、シャッターボタン３２１が半押し操作されたことを示すＳ１オン信号が入力されると、ステップＳ５８を肯定判定してステップＳ５９へ進む。ＣＰＵ２１は、Ｓ１オン信号が入力されない場合にはステップＳ５８を否定判定し、ステップＳ５２へ戻る。
【００６１】
ステップＳ５９において、ＣＰＵ２１はＳ２オンか否かを判定する。「Ｓ２」は、シャッターボタン３２１の押下操作に連動してオン／オフする全押しスイッチ（不図示）であり、シャッターボタン３２１が半押し時より深く押下されるとオンする。ＣＰＵ２１は、シャッターボタン３２１が全押し操作されたことを示すＳ２オン信号が入力されると、ステップＳ５９を肯定判定してステップＳ６０へ進む。ＣＰＵ２１は、Ｓ２オン信号が入力されない場合にはステップＳ５９を否定判定し、ステップＳ５８へ戻る。
【００６２】
ステップＳ６０において、ＣＰＵ２１は撮像デバイス１９に再び測光用の撮像を行わせる。ＣＰＵ２１は、撮像デバイス１９から出力される撮像信号に基づいてＢＶ値（輝度）を算出し、ＢＶ値に基づいて所定の露出演算を行う。そして、（イ）画像処理回路２０へ感度ＳＶを指示し、（ロ）絞りＡＶに応じた絞り１４の駆動を絞り駆動部１８へ指示する。ＣＰＵ２１はさらに、ＡＦ補助光源２６を消灯させてステップＳ６１へ進む。
【００６３】
ステップＳ６１において、ＣＰＵ２１は撮影を行ってステップＳ６２へ進む。具体的には、（ハ）シャッター駆動部１７にシャッター速度ＴＶを指示する、（ニ）シャッター速度ＴＶに対応する露光時間となるように撮像デバイス１９を露光制御（電荷蓄積制御）する。
【００６４】
ステップＳ６２において、ＣＰＵ２１は画像処理回路２０による処理後の撮影データを内蔵フラッシュメモリ２８内に記録して図８による処理を終了する。
【００６５】
比較用画像を撮影する識別データ撮影処理（ステップＳ１４（図５））について、図８に例示するフローチャートを参照して説明する。本願では、便宜的に参照用画像の識別データ撮影処理と比較用画像の識別データ撮影処理とを共通のフローチャート（図８）で説明することとしたが、実際は別のプログラムである。ステップＳ５１およびステップＳ６３における処理内容が参照用画像を撮影する場合の処理内容と異なるので、これら相違点を中心に説明する。
【００６６】
比較用画像を撮影する場合のＣＰＵ２１は、図８のステップＳ５１において、ズームレンズ１１の位置（ズームポジション）がＯＫか否かを判定する。ＣＰＵ２１は、ズーム位置検出センサ１５による検出値が、参照用画像を撮影した際の焦点距離を含む所定範囲内の焦点距離に対応する場合にステップＳ５１を肯定判定してステップＳ５２へ進む。たとえば、参照用画像を撮影した際の焦点距離が３７mmであれば、比較用画像撮影時の焦点距離の範囲を３３mm〜４５mmとする。図９の比較用画像撮影時の帯に含まれる実線は、参照用画像撮影時に設定された焦点距離を表す。比較用画像の撮影時には、この実線を含む帯の長さ（焦点距離の許容範囲）を、参照用画像撮影時の帯の長さ（焦点距離の許容範囲）に比べて狭く制御する。なお、焦点距離は３５mm版システムに換算して例示したものである。
【００６７】
一方、ＣＰＵ２１は、ズーム位置検出センサ１５による検出値が焦点距離の範囲３３mm〜４５mmに対応しない場合にはステップＳ５１を否定判定し、ステップＳ６３へ進む。参照用画像を撮影した際の焦点距離情報は、当該参照用画像とともに内蔵フラッシュメモリ２８内に記録されている。また、焦点距離の代わりに、水平方向の画角、垂直方向の画角、および対角方向の画角のうち少なくとも１つの画角を示す情報を、内蔵フラッシュメモリ２８内に記録することにしてもよい。
【００６８】
以上説明した第一の実施形態によれば、次の作用効果が得られる。
（１）参照用画像を撮影する場合、焦点距離を所定値（５０mm）より短い広角側の範囲へズームレンズ１１を駆動するようにした（ステップＳ２０において実行する図８のステップＳ６３）。これにより、焦点距離が５０mmより長い望遠側での撮影が禁止されるので、遠方からの盗撮によるなりすましを防止することができる。
【００６９】
（２）上記（１）に加えて、焦点距離の広角側を所定値（２８mm）までに制限した（ステップＳ２０において実行する図８のステップＳ６３）。これにより、撮影画像において顔の領域が小さすぎることがなく、画像の比較に適したサイズで顔を撮影することができる。
【００７０】
（３）比較用画像を撮影する場合、参照用画像の撮影時の焦点距離（たとえば３７mm）を含む所定範囲内の焦点距離（たとえば３３mm〜４５mm）に制御したので（ステップＳ１４において実行する図８のステップＳ６３）、参照用画像および比較用画像の撮影倍率を近づけることができる。これにより、撮影倍率が揃っていない場合に比べて比較処理が簡単になり、登録ユーザか否かを判定するまでに要する時間を短くすることができる。さらに、参照用画像を撮影する場合と同様に、遠方からの盗撮によるなりすましを防止しつつ、画像の比較に適したサイズで顔を撮影することができる。
【００７１】
（４）参照用画像および比較用画像を撮影する場合、被写体距離が所定距離（１m）より短い範囲でなければ撮影（ステップＳ６１）へ進まないようにした（ステップＳ１４、ステップＳ２０において実行する図８のステップＳ５６）。これにより、被写体距離が１mより長い場合の撮影が禁止されるので、遠方からの盗撮によるなりすましを防止することができる。
【００７２】
（５）上記（３）に加えて、被写体距離の近距離側を所定距離（２０cm）より長い範囲でなければ撮影（ステップＳ６１）へ進まないようにした（ステップＳ５６）。これにより、撮影画像において顔の領域が大きすぎることがなく、画像の比較に適したサイズで顔を撮影することができる。２０cm〜１mの範囲は人の手の長さに対応しており、自らの手で電子カメラ１を構えて自分を撮影する場合に適している。なお、被写体距離の範囲は、温度環境等による距離検出の誤差も加味して少し広めの設定をしている。
【００７３】
（６）ＡＦ補助光源２６を点滅発光させることによって、電子カメラ１の正面を見ているユーザに対して撮影準備が整ったことを報知できる。さらに、撮影準備が整ったことを報知するための専用ランプ等を設けることなく報知できる。
【００７４】
（変形例１）
焦点距離が所定値より長い望遠側での撮影（ステップＳ６１）を禁止する代わりに、撮影（ステップＳ６１）を行った後の比較処理（ステップＳ１５）を禁止するようにしてもよい。また、撮影（ステップＳ６１）および比較処理（ステップＳ１５）を行った後で、ステップＳ１６の判定処理を禁止する構成にしてもよい。さらにまた、ステップＳ１６を肯定判定した場合に許可される処理（本例ではステップＳ１７）を禁止する構成にしても構わない。
【００７５】
（変形例２）
第一の実施形態では、外部ＡＦモジュール２７を用いてオートフォーカス調節を行うようにした。この代わりに、撮像デバイス１９に結像される被写体像のコントラストを最大にするようにフォーカスレンズ１２を進退移動させる、いわゆるコントラスト検出方式のオートフォーカス調節を行う構成にしてもよい。また、外部ＡＦモジュール２７によるオートフォーカス調節と、コントラスト検出方式のオートフォーカス調節とを併用する構成にしてもよい。
【００７６】
（変形例３）
上述したステップＳ５５では、合焦時のフォーカスレンズ１２の位置に基づいて被写体距離を検出した。この代わりに、外部ＡＦモジュール２７による測距情報（被写体距離を示す）をそのまま用いることにより、被写体距離が２０cm〜１mの距離範囲内か否かを判定してもよい。
【００７７】
（変形例４）
上述したステップＳ６３では、ズームレンズ１１を自動的に上記焦点距離範囲内へ移動させる例を説明した。この代わりに、手動操作でズームレンズ１１を上記焦点距離範囲内へ移動するように、ユーザに対してズーム調節操作を促す構成としてもよい。この場合のＣＰＵ２１は、ステップＳ２３のズームレンズ駆動に代えて、ズーム位置検出センサ１５による検出値が上記焦点距離範囲に対応していないことを示す警告マークを表示モニタ３１に表示させる。焦点距離範囲外を示す警告マークの表示は、ズームレンズ１１の位置（ズームポジション）が上記焦点距離範囲内に入るまで継続させることが好ましい。
【００７８】
変形例４によれば、警告マークを表示させることによって参照用画像および比較用画像の撮影倍率を同等にする操作をユーザに促すことができる。これにより、ズームレンズ１１の自動調節機構を有していない場合にも、登録ユーザか否かを判定するまでに要する時間を短くすることができる。
【００７９】
（変形例５）
上述の説明では、比較用画像を撮影する場合、焦点距離３７mmに対応する位置へズームレンズ１１が駆動され、かつ２０cm〜１mの被写体距離範囲である場合に限り、撮影（ステップＳ１４において実行する図８のステップＳ６１）へ進むようにした。この代わりに、少なくとも焦点距離が２８mm〜５０mmの範囲内であれば撮影（ステップＳ６１）へ進む構成にしてもよい。また、少なくとも上記被写体距離範囲内であれば撮影（ステップＳ６１）へ進む構成にしてもよい。
【００８０】
（変形例６）
以上の説明では、撮影光学系にズームレンズ１１を備える例を説明したが、いわゆる２焦点レンズを撮影光学系に備える場合にも本発明を適用できる。２焦点レンズを備える場合には、ステップＳ６３（図８）のズーム駆動の代わりに、２焦点のうち広角側の焦点距離を選択するように制御すればよい。
【００８１】
（第二の実施形態）
あらかじめ電子カメラ１に登録しておく参照用データの元になる参照用画像の撮影と、参照用データと比較するための比較用画像の撮影とで撮影処理を異ならせてもよい。図１２は、第二の実施形態による電子カメラ１のＣＰＵ２１がユーザ識別のために行う処理の流れを説明するフローチャートである。図１２の処理を行うプログラムは、図５の処理に代えて実行される。図１２の処理は、ステップＳ１４Ｂ、ステップＳ２０Ｂ、ステップＳ１０１およびステップＳ１０２を行う点において図５の処理と相違するので、これらの相違点を中心に説明する。
【００８２】
ステップＳ１４Ｂは、比較用画像を撮影する処理（識別データ撮影処理１と呼ぶ）を行う。識別データ撮影処理１の流れを説明するフローチャートを、図１３に例示する。図１３による処理と、図５のステップＳ１４において実行する識別データ撮影処理（図８に例示）との相違点は、図１３においてステップＳ５１、ステップＳ５６、ステップＳ６３、およびステップＳ６４がそれぞれ削除されている点である。
【００８３】
図１３においてステップＳ５１およびステップＳ６３をそれぞれ削除したことにより、識別データ撮影処理１においては、ズームレンズ１１の位置（ズームポジション）が３３mm〜４５mmの焦点距離範囲内に入っていなくても比較用画像の撮影（ステップＳ６１）へ進むことが許容される。また、ステップＳ５６およびステップＳ６４をそれぞれ削除したことにより、識別データ撮影処理１においては、被写体距離が２０cm〜１mの距離範囲内に入っていなくても比較用画像の撮影（ステップＳ６１）へ進むことが許容される。
【００８４】
ステップＳ２０Ｂは、参照用画像を撮影する処理（識別データ撮影処理２と呼ぶ）を行う。識別データ撮影処理２は、第一の実施形態の場合の識別データ撮影処理（図８）と同様である。したがって、識別データ撮影処理２においては、ズームレンズ１１の位置（ズームポジション）が２８mm〜５０mmの上記焦点距離範囲内に入っていること、かつ被写体距離が２０cm〜１mの距離範囲内に入っていることが、参照用画像の撮影（ステップＳ６１）へ進むために必要な条件である。
【００８５】
図１２のステップＳ１０１において、ＣＰＵ２１は、登録データ（本例の場合は登録者１についての参照用画像）の人物とステップＳ１４Ｂで撮影した比較用画像の人物とが合致するか否かを判定する。ＣＰＵ２１は、ステップＳ１５における比較処理結果が所定の判定基準を満たした場合にステップＳ１０１を肯定判定してステップＳ１０２へ進む。ＣＰＵ２１は、比較処理結果が所定の判定基準を満たさない場合にはステップＳ１０１を否定判定し、ステップＳ１８へ進む。
【００８６】
ステップＳ１０２において、ＣＰＵ２１は、ズームレンズ１１の位置（ズームポジション）、および合焦時のフォーカスレンズ１２の位置がＯＫか否かを判定する。ＣＰＵ２１は、ズーム位置検出センサ１５による検出値が、たとえば、参照用画像を撮影した際の焦点距離３７mmを含む３３mm〜４５mmの焦点距離範囲に対応し、かつ合焦後の被写体距離が２０cm〜１mの距離範囲内であればステップＳ１０２を肯定判定し、ステップＳ１７へ進む。参照用画像を撮影した際の焦点距離情報は、当該参照用画像とともに内蔵フラッシュメモリ２８内に記録されている。また、焦点距離の代わりに、水平方向の画角、垂直方向の画角、および対角方向の画角のうち少なくとも１つの画角を示す情報を、内蔵フラッシュメモリ２８内に記録することにしてもよい。
【００８７】
ＣＰＵ２１は、ズーム位置検出センサ１５による検出値が３３mm〜４５mmの焦点距離範囲に対応しない場合、または合焦後の被写体距離が２０cm〜１mの距離範囲内にない場合にはステップＳ１０２を否定判定し、ステップＳ１８へ進む。これにより、識別データ撮影処理１における撮影画角が参照用画像を撮影した際の撮影画角と異なる場合や、識別データ撮影処理１における被写体距離が参照用画像を撮影した際の被写体距離と異なる場合には、いずれも認証を行わない。
【００８８】
以上説明した第二の実施形態では、識別データ撮影処理１において、ズームレンズ１１の位置（ズームポジション）が所定の焦点距離範囲内に入っているか否かにかかわらず比較用画像の撮影（ステップＳ６１）処理へ進む。また、識別データ撮影処理１において、被写体距離が所定の距離範囲内に入っているか否かにかかわらず比較用画像の撮影（ステップＳ６１）処理へ進む。そして、登録データ（参照用画像）とステップＳ１４Ｂで撮影した比較用画像との合致有無（ステップＳ１０１）に加えて、登録データ（参照用画像）撮影時の焦点距離（または撮影画角）および被写体距離と、ステップＳ１４Ｂの撮影時の焦点距離（または撮影画角）および被写体距離との合致有無（ステップＳ１０２）とを、登録ユーザか否かの識別の判定要件にする。
【００８９】
「認証エラー」を示すメッセージを表示モニタ３１に表示した場合、ユーザには、撮影画像が合致しなかったのか、撮影条件が合致しなかったのかがわからない。このように、撮影条件（撮影画角、被写体距離）も判定要件に加えることで、他人のなりすましによる不正に対する安全性を高めることができる。
【００９０】
（変形例７）
以上の説明では、新規登録する参照用データの元になる参照用画像の撮影処理（ステップＳ２０、ステップＳ２０Ｂ）を電子カメラ１で行う例を説明した。この代わりに、他のカメラで撮影した参照用画像を用いる構成にしてもよい。この場合、他のカメラで撮影された参照用画像データとともに、当該参照用画像が撮影された際の焦点距離情報、被写体距離情報を電子カメラ１の内蔵フラッシュメモリ２８内に記録しておく。
【００９１】
（変形例８）
参照用画像を撮影した他のカメラの撮像デバイス（第１撮像素子と呼ぶ）の画素サイズと、比較用画像を撮影する電子カメラ１の撮像デバイス１９（第２撮像素子と呼ぶ）の画素サイズとが異なる場合について説明する。図１４は、第１撮像素子上の最大像高ｙｍａｘ１および第２撮像素子上の最大像高ｙｍａｘ２を説明する図である。
【００９２】
＜参照用画像撮影＞
図１４において、他のカメラによって撮影距離（被写体距離）Ｌで撮影する場合の最大像高（第１撮像素子の対角線の長さの１／２）を、ｙｍａｘ１で表す。参照用画像を撮影するユーザは、当該カメラを把持し、腕を伸ばして自分自身を撮影する。このときユーザは、第１撮像素子の出力に基づいて当該カメラの表示モニタに表示される画像（いわゆるスルー画像）を視認可能である。
【００９３】
ユーザは、表示モニタに表示される自分の顔の大きさが表示モニタ画面内においてほぼ最大表示サイズとなるように、当該カメラのズーム操作部材を適宜操作する。ユーザの顔の表示サイズが参照用画像に適したサイズとなるように設定された焦点距離の値を、ｆ１で表す。なお、焦点距離の値をｆ１とするように、当該カメラが自動的にズームレンズを駆動する構成にしてもよい。
【００９４】
当該カメラのＣＰＵは、第１撮像素子から出力され画像処理回路によって画像処理された画像データに基づいて画像ファイルを生成し、この画像ファイルを記録カードへ記録する。その際、ＣＰＵは、記録する画像ファイルのヘッダに上述した焦点距離ｆ１および最大像高ｙｍａｘ１を示す情報をそれぞれ記録しておく。このように作成された参照用画像の画像ファイルを、参照用画像ファイルと呼ぶことにする。
【００９５】
＜比較用画像撮影＞
図１４において、電子カメラ１によって撮影距離（被写体距離）Ｌで撮影する場合の最大像高（第２撮像素子の対角線の長さの１／２）を、ｙｍａｘ２で表す。第１撮像素子と第２撮像素子とは、そのアスペクト比が等しく構成されているものとする。最大像高ｙｍａｘ２を示す情報は、電子カメラ１の内蔵フラッシュメモリ２８内に記録しておく。
【００９６】
電子カメラ１は、参照用画像と比較する比較用画像を撮影する前に、ユーザの操作により、上述した参照用画像ファイルを電子カメラ１の内蔵フラッシュメモリ２８内に記録する。この場合の電子カメラ１のＣＰＵ２１は、以下に説明するように、比較用画像の撮影を許容する焦点距離範囲を算出する。
【００９７】
ＣＰＵ２１は、参照用画像の撮影時と比較用画像の撮影時とで撮影距離Ｌが等しいと仮定する。これは、ユーザが腕を伸ばして自分自身を撮影するため、撮影距離Ｌはほぼユーザの手の長さに等しいと推定されるからである。そのため、参照用画像の撮影の場合の半画角θ１と、比較用画像の撮影の場合の半画角θ２とは等しいと仮定できる（＝半画角θとする）。
【００９８】
以上説明したことから、図１４において次式（１）および（２）が成立する。
ｙｍａｘ１＝ｆ１×ｔａｎθ１                （１）  
ｙｍａｘ２＝ｆ２×ｔａｎθ２                （２）  
ｆ２は、電子カメラ１で撮影した画像全体に対する人物（主要被写体）の比が、上記他のカメラで撮影した画像全体に対する人物（主要被写体）の比と等しくなるための、電子カメラ１の撮影光学系の焦点距離である。
【００９９】
上述したように、θ１＝θ２＝θと仮定できるため、次式（３）が成立する。
ｔａｎθ１＝ｔａｎθ２（＝ｔａｎθ）        （３）
上式（１）、（２）、（３）より、次式（４）が導かれる。
ｆ２＝（ｙｍａｘ２／ｙｍａｘ１）×ｆ１      （４）
【０１００】
電子カメラ１のＣＰＵ２１は、次式（５）によって算出される焦点距離範囲を、比較用画像の撮影を許容する焦点距離の判定閾値ｆ３とする。
ｆ３＝ｆ２±ｆα                            （５）
ただし、ｆαは所定値である。
【０１０１】
判定閾値ｆ３は、第一の実施形態の比較用画像撮影時におけるステップＳ５１（ステップＳ１４において実行する図８）、および第二の実施形態におけるステップＳ１０２（図１２）において用いることができる。すなわち、上記ステップＳ５１においては、ズーム位置検出センサ１５による検出値が上記判定閾値ｆ３に対応する場合にステップＳ５１を肯定判定してステップＳ５２へ進む。ＣＰＵ２１は、ズーム位置検出センサ１５による検出値が上記判定閾値ｆ３に対応しない場合にはステップＳ５１を否定判定し、ステップＳ６３へ進む。
【０１０２】
また、上記ステップＳ１０２においては、ズーム位置検出センサ１５による検出値が上記判定閾値ｆ３に対応し、かつ合焦後の被写体距離が上記２０cm〜１mの距離範囲内であればステップＳ１０２を肯定判定する。ＣＰＵ２１は、ズーム位置検出センサ１５による検出値が上記判定閾値ｆ３に対応しない場合、または合焦後の被写体距離が上記２０cm〜１mの距離範囲内にない場合にはステップＳ１０２を否定判定し、ステップＳ１８へ進む。
【０１０３】
以上説明した変形例８によれば、比較用画像を撮影する電子カメラ１と参照用画像を撮影する他のカメラとの間で撮像素子の画素サイズが異なっていても、比較用画像の撮影を許容する焦点距離範囲を適切に定めることができる。
【０１０４】
なお、上式（５）の代わりに次式（６）を用いてもよい。
ｆ３’＝ｆ２＋ｆα                          （６）
ただし、ｆαは所定値である。
比較用画像を撮影する電子カメラ１のＣＰＵ２１は、焦点距離（ズーム位置検出センサ１５による検出値）がｆ３’より長ければ、比較用画像の撮影を行わない。
【０１０５】
（変形例９）
参照用画像ファイルのヘッダに半画角θ（あるいはｔａｎθ）を示す情報を記録してもよい。この場合の電子カメラ１のＣＰＵ２１は、以下に説明するように、比較用画像の撮影を許容する焦点距離範囲を算出する。
上式（１）、（２）、（３）より、次式（７）が導かれる。
ｆ２＝ｙｍａｘ２／ｔａｎθ                  （７）
ＣＰＵ２１は、式(７)を上式（５）に代入して算出される焦点距離範囲を、比較用画像の撮影を許容する焦点距離の判定閾値ｆ３とする。
【０１０６】
（変形例１０）
参照用画像ファイルのヘッダに半画角θ（あるいはｔａｎθ）を示す情報を記録した電子カメラ１のＣＰＵ２１は、次式（８）に示すように、比較用画像の撮影を許容する半画角の範囲を算出してもよい。
θ３＝θ±θα                              （８）
ただし、θαは所定値である。
【０１０７】
判定閾値θ３は、第一の実施形態におけるステップＳ５１（図８）、および第二の実施形態におけるステップＳ１０２（図１２）において用いることができる。すなわち、比較用画像を撮影する電子カメラ１のＣＰＵ２１は、焦点距離が判定閾値ｆ３に対応するか否かを判定することに代えて、半画角が判定閾値θ３に対応するか否かを判定する。そして、半画角判定結果に応じて、比較用画像の撮影を許容するか否かを判定する。電子カメラ１の半画角は、ズーム位置検出センサ１５による検出値に対応する焦点距離と、最大像高ｙｍａｘ２（内蔵フラッシュメモリ２８内に記録されている）とに基づいて算出する。
【０１０８】
以上説明した変形例１０によれば、比較用画像を撮影する電子カメラ１と参照用画像を撮影する他のカメラとの間で撮像素子の画素サイズが異なっていても、比較用画像の撮影を許容する半画角範囲を適切に定めることができる。
【０１０９】
なお、上式（８）の代わりに次式（９）を用いてもよい。
θ３’＝θ−θα                            （９）
ただし、θαは所定値である。
比較用画像を撮影する電子カメラ１のＣＰＵ２１は、算出した電子カメラ１の半画角がθ３’より小さければ、比較用画像の撮影を行わない。
【０１１０】
以上説明した変形例８、変形例９、および変形例１０では、参照用画像ファイルのヘッダに焦点距離ｆ１および最大像高ｙｍａｘ１を示す情報をそれぞれ記録するようにした。しかしながら、比較用画像を撮影する電子カメラ１と参照用画像を撮影する他のカメラとの間で撮像素子の画素サイズが等しい場合には、上式（４）から明らかなように、最大像高ｙｍａｘ１を示す情報についての記録は不要である。
【０１１１】
（変形例１１）
上述した説明では、参照用画像のデータを内蔵フラッシュメモリ２８内に保存しておき、この参照用画像のデータと比較用画像のデータとを比較することにしていた。この代わりに、上述した顔領域の目、鼻の位置などを示す特徴点データを参照用画像から取得し、この特徴点データを内蔵フラッシュメモリ２８内に保存しておいてもよい。この場合には、特徴点データと比較用画像のデータとを比較することによって、登録ユーザか否かを識別する。
【０１１２】
（変形例１２）
以上の説明では、登録ユーザか否かを識別して画像ファイルに対する閲覧制限をかける例を説明した。この代わりに、またはこれに加えて、閲覧の他にも画像ファイルの複製、転送、印刷などの画像ファイルに対するアクセスの全てまたは一部を制限するようにしてもよい。
【０１１３】
（変形例１３）
第一実施形態のカメラを、カメラと、情報処理を行うサーバとからなる情報処理システムにより実現してもよい。カメラとサーバは、有線または無線によりインターネットを介して接続される。サーバは、図５のステップＳ１５〜Ｓ１７の処理を行う。具体的には、Ｓ１４における識別データ撮像処理をカメラが実行した後、カメラのＣＰＵは通信装置を介してインターネット経由で比較用画像のデータをサーバへ送信する。
【０１１４】
サーバは図５のステップＳ１５とＳ１６の処理を行う。そして、サーバがＳ１６において肯定（認証ＯＫ）と判定した場合は、ステップＳ１７において、撮影済みデータについて閲覧ロック解除を示す閲覧ロック解除コマンドを通信装置を介してカメラへ送信する。カメラのＣＰＵは、閲覧ロック解除コマンドを受信すると、閲覧ロックを解除する。サーバはステップＳ１６において否定（認証不可）と判定した場合は、認証エラー表示コマンドを通信装置を介してカメラへ送信する。カメラのＣＰＵは、認証エラー表示コマンドを受信すると、ステップＳ１８の処理を実行する。
【０１１５】
変形例１３は、制御手段がカメラに含まれ、比較手段、判定手段、許可手段がサーバ側に含まれる例であるが、サーバ側に少なくとも１つを含め、残りの手段をカメラ側に含めるなど、サーバ、カメラ間で各手段を配設する組み合わせは適宜変更して構わない。
【０１１６】
（変形例１４）
第二実施形態のカメラを、カメラと、情報処理を行うサーバとからなる情報処理システムにより実現してもよい。カメラとサーバは、有線または無線によりインターネットを介して接続される。サーバは、図１２のステップＳ１５、Ｓ１０１、Ｓ１０２、Ｓ１７の処理を行う。具体的には、Ｓ１４Ｂにおける識別データ撮像処理をカメラが実行した後、カメラのＣＰＵは通信装置を介してインターネット経由で比較用画像のデータをサーバへ送信する。また、カメラのＣＰＵは通信装置を介して、ズームレンズの位置の情報（焦点距離情報）と、合焦時のフォーカスレンズの位置の情報（被写体距離情報）をサーバへ送信する。
【０１１７】
サーバは図１２のステップＳ１５、Ｓ１０１、Ｓ１０２の処理を行う。そして、サーバがＳ１０２において肯定（ズーム位置・合焦位置ＯＫ）と判定した場合は、ステップＳ１７において、撮影済みデータについて閲覧ロック解除を示す閲覧ロック解除コマンドを通信装置を介してカメラへ送信する。カメラのＣＰＵは、閲覧ロック解除コマンドを受信すると、閲覧ロックを解除する。サーバはステップＳ１０１において否定（登録データと不一致）またはＳ１０２において否定（ズーム位置・合焦位置がＯＫでない）と判定した場合は、認証エラー表示コマンドを通信装置を介してカメラへ送信する。カメラのＣＰＵは、認証エラー表示コマンドを受信すると、ステップＳ１８の処理を実行する。
【０１１８】
変形例１４は、比較手段、判定手段、許可手段、制御手段が全てサーバ側に含まれる例であるが、サーバ側に少なくとも１つを含め、残りの手段をカメラ側に含めるなど、サーバ、カメラ間で各手段を配設する組み合わせは適宜変更して構わない。
【０１１９】
第一の実施形態、第二の実施形態、変形例１ないし変形例１４は、それぞれを適宜組み合わせて構成してもよい。
【０１２０】
以上の説明はあくまで一例であり、上記の実施形態の構成に何ら限定されるものではない。
【図面の簡単な説明】
【０１２１】
【図１】本発明の第一の実施形態による電子カメラの正面図である。
【図２】図１の電子カメラの背面図である。
【図３】図１におけるＡ−Ａ'断面図である。
【図４】電子カメラの要部構成を説明するブロック図である。
【図５】ＣＰＵがユーザ識別のために行う処理の流れを説明するフローチャートである。
【図６】登録名選択画面を例示する図である。
【図７】管理テーブルを例示する図である。
【図８】識別データ撮影を説明するフローチャートである。
【図９】許容する焦点距離範囲を例示する図である。
【図１０】分割測光領域を説明する図である。
【図１１】許容する被写体距離範囲を例示する図である。
【図１２】第二の実施形態によるユーザ識別のために行う処理の流れを説明するフローチャートである。
【図１３】識別データ撮影処理１の流れを説明するフローチャートである。
【図１４】変形例８の最大像高を説明する図である。
【符号の説明】
【０１２２】
１…電子カメラ
１１…ズームレンズ
１２…フォーカスレンズ
１５…ズーム位置検出センサ
１６…フォーカスレンズ基準位置検出センサ
１９…撮像デバイス
２０…画像処理回路
２１…ＣＰＵ
【図１】
2008283258.tif 000003
【図２】
2008283258.tif 000004
【図３】
2008283258.tif 000005
【図４】
2008283258.tif 000006
【図５】
2008283258.tif 000007
【図６】
2008283258.tif 000008
【図７】
2008283258.tif 000009
【図８】
2008283258.tif 000010
【図９】
2008283258.tif 000011
【図１０】
2008283258.tif 000012
【図１１】
2008283258.tif 000013
【図１２】
2008283258.tif 000014
【図１３】
2008283258.tif 000015
【図１４】
2008283258.tif 000016